(57)【要約】【課題】大気開放弁からの水漏れを防止することができる給湯配管装置を提供する。【解決手段】給湯配管装置は、浴槽へ湯水を供給するふろ給湯配管に設けられ、ふろ給湯配管の上流側における内部の水圧が第１圧力未満のときに大気に対してふろ給湯配管を開き、ふろ給湯配管の上流側における内部の水圧が第１圧力以上のときに大気に対してふろ給湯配管を閉じる大気開放弁と、大気開放弁よりも上流側において給湯配管に設けられ、ふろ給湯配管の上流側における内部の水圧が第１圧力よりも大きい動作圧力未満のときはふろ給湯配管の流路を閉じ、ふろ給湯配管の上流側における内部の水圧が動作圧力以上のときはふろ給湯配管の流路を開く逆止弁と、を備えた。【選択図】図５
2019128133.tif 000002
【特許請求の範囲】
【請求項１】
浴槽へ湯水を供給するふろ給湯配管に設けられ、前記ふろ給湯配管の上流側における内部の水圧が第１圧力未満のときに大気に対して前記ふろ給湯配管を開き、前記ふろ給湯配管の上流側における内部の水圧が前記第１圧力以上のときに大気に対して前記ふろ給湯配管を閉じる大気開放弁と、
前記大気開放弁よりも上流側において前記ふろ給湯配管に設けられ、前記ふろ給湯配管の上流側における内部の水圧が第１圧力よりも大きい動作圧力未満のときは前記ふろ給湯配管の流路を閉じ、前記ふろ給湯配管の上流側における内部の水圧が前記動作圧力以上のときは前記ふろ給湯配管の流路を開く逆止弁と、
を備えた給湯配管装置。
【請求項２】
前記逆止弁は、前記ふろ給湯配管の上流側における内部の水の質量により生じる最大水頭圧が前記動作圧力として設定された請求項１に記載の給湯配管装置。
【請求項３】
前記ふろ給湯配管に設けられ、前記ふろ給湯配管の流路を開閉する電磁弁、
を備え、
前記大気開放弁は、前記電磁弁よりも下流側において前記ふろ給湯配管に設けられ、
前記逆止弁は、前記大気開放弁と前記電磁弁との間において前記ふろ給湯配管に設けられた請求項１または請求項２に記載の給湯配管装置。
【請求項４】
前記ふろ給湯配管に設けられ、前記ふろ給湯配管の流路を開閉する電磁弁、
を備え、
前記大気開放弁は、前記電磁弁よりも下流側において前記ふろ給湯配管に設けられ、
前記逆止弁は、前記電磁弁よりも上流側において前記ふろ給湯配管に設けられた請求項１または請求項２に記載の給湯配管装置。
【請求項５】
前記大気開放弁よりも下流側において前記ふろ給湯配管に設けられ、前記ふろ給湯配管の上流側における内部の水圧が第１圧力よりも小さい第２圧力未満のときは前記ふろ給湯配管の流路を閉じ、前記ふろ給湯配管の内部の水圧が前記第２圧力以上のときは前記ふろ給湯配管の流路を開く追加逆止弁、
を備えた請求項３または請求項４に記載の給湯配管装置。
【請求項６】
前記逆止弁と前記大気開放弁と前記電磁弁とは、一体で設けられた請求項３から請求項５のいずれか１項に記載の給湯配管装置。
【請求項７】
請求項３から請求項６のいずれか１項に記載の給湯配管装置と、
前記給湯配管装置の上流側に設けられた貯湯タンクと、
前記貯湯タンクに貯留された湯水を前記給湯配管装置に供給する制御を行う制御部と、
を備えた貯湯式給湯機。
【請求項８】
当該貯湯タンクの満水を検知する満水センサ、
を備え、
前記制御部は、前記満水センサが前記貯湯タンクの満水を検知していない場合は、前記電磁弁を開放しない請求項７に記載の貯湯式給湯機。
【請求項９】
前記電磁弁の下流側に設けられ、前記ふろ給湯配管の内部における湯水の流れを検知する流量センサ、
を備え、
前記制御部は、前記流量センサが湯水の流れを検知していない場合は、前記電磁弁を開かない請求項７または請求項８に記載の貯湯式給湯機。
【発明の詳細な説明】
【技術分野】
【０００１】
この発明は、給湯配管装置および貯湯式給湯機に関する。
【背景技術】
【０００２】
特許文献１は、貯湯式給湯機を開示する。貯湯式給湯機において、ふろ用パイロット式電磁弁の１次側の圧力が大気圧である場合、大気開放弁は、開く。ふろ用パイロット式電磁弁の１次側の圧力が加わると大気開放弁は、徐々に閉じる。このため、貯湯式給湯機は、浴槽水が貯湯タンクに逆流することを防止し得る。
【先行技術文献】
【特許文献】
【０００３】
【特許文献１】特開２０１５−２１９０１９号公報
【発明の概要】
【発明が解決しようとする課題】
【０００４】
しかしながら、特許文献１に記載の貯湯式給湯機においては、施工時の貯湯タンクへの給水時等、電磁弁の貯湯タンクの側に印加される圧力が低いとき、ふろ用パイロット式電磁弁の１次側において、逆止弁が開く。この際、大気開放弁が閉じない場合もある。この場合、水漏れが大気開放弁において発生する。
【０００５】
この発明は、上述の課題を解決するためになされた。この発明の目的は、大気開放弁からの水漏れを防止することができる。給湯配管装置および貯湯式給湯機を提供することである。
【課題を解決するための手段】
【０００６】
この発明に係る給湯配管装置は、浴槽へ湯水を供給するふろ給湯配管に設けられ、ふろ給湯配管の上流側における内部の水圧が第１圧力未満のときに大気に対してふろ給湯配管を開き、ふろ給湯配管の上流側における内部の水圧が第１圧力以上のときに大気に対してふろ給湯配管を閉じる大気開放弁と、大気開放弁よりも上流側において給湯配管に設けられ、ふろ給湯配管の上流側における内部の水圧が第１圧力よりも大きい動作圧力未満のときはふろ給湯配管の流路を閉じ、ふろ給湯配管の上流側における内部の水圧が動作圧力以上のときはふろ給湯配管の流路を開く逆止弁と、を備えた。
【０００７】
この発明に係る貯湯式給湯機は、給湯配管装置と、給湯配管装置の上流側に設けられた貯湯タンクと、貯湯タンクに貯留された湯水を給湯配管装置に供給する制御を行う制御部と、を備えた。
【発明の効果】
【０００８】
これらの発明によれば、大気開放弁からの水漏れを防止することができる。
【図面の簡単な説明】
【０００９】
【図１】実施の形態１における給湯配管装置を備えた貯湯式給湯機が適用される給湯システムの構成図である。
【図２】実施の形態１における給湯配管装置を備えた貯湯式給湯機のふろ用パイロット式電磁弁の概略正面図である。
【図３】実施の形態１における給湯配管装置を備えた貯湯式給湯機のふろ用パイロット式電磁弁の概略側面図である。
【図４】実施の形態１における給湯配管装置を備えた貯湯式給湯機のふろ用パイロット式電磁弁の側断面図である。
【図５】実施の形態１における給湯配管装置を備えた貯湯式給湯機のふろ用パイロット式電磁弁の側断面図である。
【発明を実施するための形態】
【００１０】
この発明を実施するための形態について添付の図面に従って説明する。なお、各図中、同一または相当する部分には同一の符号が付される。当該部分の重複説明は適宜に簡略化ないし省略される。
【００１１】
実施の形態１．
図１は実施の形態１における給湯配管装置を備えた貯湯式給湯機が適用される給湯システムの構成図である。
【００１２】
図１において、浴槽１は、家庭の浴室等に設けられる。浴槽アダプタ２は、浴槽１の内側面に設けられる。
【００１３】
貯湯式給湯機３は、ＨＰユニット４とタンクユニット５とリモコン６とを備える。
【００１４】
ＨＰユニット４は、空気熱交換器７と圧縮機８と水冷媒熱交換器９と膨張弁１０と冷媒配管１１とを備える。
【００１５】
ＨＰユニット４は、ヒートポンプサイクルを利用する。具体的には、ＨＰユニット４において、空気熱交換器７と圧縮機８と水冷媒熱交換器９の１次側と膨張弁１０とは、冷媒配管１１を介して環状に接続される。水冷媒熱交換器９の２次側の入側は、ＨＰ往き配管１２の出側に接続される。水冷媒熱交換器９の２次側の出側は、ＨＰ戻り配管１３の入側に接続される。
【００１６】
空気熱交換器７は、冷媒配管１１の冷媒と大気中との間で熱交換を行い得るように設けられる。圧縮機８は、冷媒を圧縮することにより冷媒の温度を上げ得るように設けられる。水冷媒熱交換器９は、１次側に流れる冷媒と２次側に流れる低温水との間で熱交換を行い得るように設けられる。膨張弁１０は、冷媒を膨張させることにより冷媒の温度を下げ得るように設けられる。
【００１７】
タンクユニット５は、貯湯タンク１４と水導入口１５と水導出口１６と温水導入口１７と温水導入出口１８と複数の貯湯温度センサ１９と満水センサ２０とを備える。
【００１８】
貯湯タンク１４の下部は、低温水が流入され得るように設けられる。貯湯タンク１４の上部は、高温水が流入され得るように設けられる。貯湯タンク１４の上部と下部とは、温度差が生じた湯水を貯留し得るように設けられる。水導入口１５は、貯湯タンク１４の下部に設けられる。水導出口１６は、貯湯タンク１４の下部に設けられる。温水導入口１７は、貯湯タンク１４の中央部から下部の間に設けられる。温水導入出口１８は、貯湯タンク１４の上部に設けられる。複数の貯湯温度センサ１９は、貯湯タンク１４の表面に高さを変えて取り付けられる。満水センサ２０は、貯湯タンク１４の上部に設けられる。
【００１９】
タンクユニット５は、第１給水配管２１と第２給水配管２２と第３給水配管２３と給湯配管２４と水導出口配管２５と送湯配管２６とを備える。
【００２０】
第１給水配管２１の入側は、水道等の水源に接続される。第１給水配管２１は、水道等の水源から水の供給を受け得るように設けられる。第２給水配管２２の出側は、途中から分岐する。第３給水配管２３の出側は、水導入口１５に接続される。給湯配管２４の入側は、温水導入出口１８に接続される。給湯配管２４の出側は、途中から分岐する。給湯配管２４は、貯湯タンク１４の内部に貯留された湯を貯湯式給湯機３の外部に供給し得るように設けられる。水導出口配管２５の入側は、水導出口１６に接続される。送湯配管２６の出側は、温水導入出口１８に接続される。
【００２１】
タンクユニット５は、減圧弁２７と三方弁２８と四方弁２９と給湯用混合弁３０とふろ用混合弁３１とを備える。
【００２２】
減圧弁２７は、第１給水配管２１の出側に接続される。減圧弁２７は、第２給水配管２２の入側に接続される。減圧弁２７は、第３給水配管２３の入側に接続される。減圧弁２７は、第１給水配管２１から供給された水の圧力を調整し得るように設けられる。
【００２３】
三方弁２８は、ａポートとｂポートとｃポートとを備える。三方弁２８は、ａポートとｃポートをつなぐ流路とｂポートとｃポートをつなぐ流路とを切り替え得るように設けられる。ａポートは、水導出口配管２５の出側に接続される。ａポートは、湯水が水導出口配管２５から流入し得るように設けられる。ｂポートは、湯水が流入し得るように設けられる。ｃポートは、ＨＰ往き配管１２の入側に接続される。ｃポートは、湯水がＨＰ往き配管１２へ流出し得るように設けられる。
【００２４】
四方弁２９は、ａポートとｂポートとｃポートとｄポートとを備える。四方弁２９は、ａポートとｂポートとをつなぐ経路とａポートとｃポートとをつなぐ経路とｂポートとｄポートとをつなぐ経路とｃポートとｄポートとをつなぐ経路との間で流路を切り替え得るように設けられる。ａポートは、湯水が流出し得るように設けられる。ｂポートは、湯水が流入し得るように設けられる。ｃポートは、ＨＰ戻り配管１３の出側に接続される。ｃポートは、湯水がＨＰ戻り配管１３から流入し得るように設けられる。ｄポートは、送湯配管２６の入側に接続される。ｄポートは、湯水が送湯配管２６へ流出し得るように設けられる。
【００２５】
給湯用混合弁３０は、第２給水配管２２の出側の一方に接続される。給湯用混合弁３０は、給湯配管２４の出側の一方に接続される。給湯用混合弁３０は、給湯配管２４から供給される高温水と第２給水配管２２から供給される低温水との流量比を調整することにより設定された温度の湯水を生成し得るように設けられる。
【００２６】
ふろ用混合弁３１は、第２給水配管２２の出側の他方に接続される。ふろ用混合弁３１は、給湯配管２４の出側の他方に接続される。ふろ用混合弁３１は、給湯配管２４から供給される高温水と第２給水配管２２から供給される低温水との流量比を調整することにより、設定された温度の湯水を生成し得るように設けられる。
【００２７】
タンクユニット５は、温水導入配管３２と温水導出配管３３と第１バイパス配管３４と第２バイパス配管３５とを備える。
【００２８】
温水導入配管３２の入側は、送湯配管２６の途中に接続される。温水導出配管３３の出側は、三方弁２８のｂポートに接続される。第１バイパス配管３４の入側は、四方弁２９のａポートに接続される。第１バイパス配管３４の出側は、温水導入口１７に接続される。第２バイパス配管３５の入側は、ＨＰ往き配管１２の途中に接続される。第２バイパス配管３５の出側は、四方弁２９のｂポートに接続される。
【００２９】
タンクユニット５は、熱源ポンプ３６とふろ用熱交換器３７とを備える。
【００３０】
熱源ポンプ３６は、ＨＰ往き配管１２に設けられる。熱源ポンプ３６は、タンクユニット５の各種配管に湯水を循環させ得るように設けられる。ふろ用熱交換器３７の１次側の入側は、温水導入配管３２の出側に接続される。ふろ用熱交換器３７の１次側の出側は、温水導出配管３３の入側に接続される。ふろ用熱交換器３７は、貯湯タンク１４またはＨＰユニット４から供給される高温水を利用して、２次側の加熱対象水を加熱し得るように設けられる。例えば、ふろ用熱交換器３７は、貯湯タンク１４またはＨＰユニット４から供給される高温水を利用して、浴水や暖房用水を加熱し得るように設けられる。
【００３１】
タンクユニット５は、第１給湯配管３８と第２給湯配管３９とを備える。
【００３２】
第１給湯配管３８の入側は、給湯用混合弁３０に接続される。第１給湯配管３８は、湯水が給湯用混合弁３０から流入し得るように設けられる。第２給湯配管３９は、ふろ給湯配管として設けられる。第２給湯配管３９の入側は、ふろ用混合弁３１に接続される。第２給湯配管３９は、湯水がふろ用混合弁３１から流入し得るように設けられる。
【００３３】
タンクユニット５は、ふろ往き配管４０とふろ戻り配管４１とを備える。
【００３４】
ふろ往き配管４０の入側は、ふろ用熱交換器３７の２次側の出側に接続される。ふろ往き配管４０の出側は、浴槽アダプタ２に接続される。ふろ往き配管４０は、途中において第２給湯配管３９の出側に接続される。ふろ往き配管４０は、湯水が第２給湯配管３９から供給され得るように設けられる。ふろ戻り配管４１の入側は、浴槽アダプタ２に接続される。ふろ戻り配管４１の出側は、ふろ用熱交換器３７の２次側の入側に接続される。
【００３５】
タンクユニット５は、循環ポンプ４２とふろ往き温度センサ４３とふろ戻り温度センサ４４とを備える。
【００３６】
循環ポンプ４２は、ふろ戻り配管４１に設けられる。循環ポンプ４２は、浴槽水を循環させ得るように設けられる。ふろ往き温度センサ４３は、ふろ往き配管４０に設けられる。ふろ往き温度センサ４３は、ふろ用熱交換器３７から供給された湯水の温度を検出し得るように設けられる。ふろ戻り温度センサ４４は、ふろ戻り配管４１に設けられる。ふろ戻り温度センサ４４は、浴槽１から供給された浴槽水の温度を検出し得るように設けられる。
【００３７】
タンクユニット５は、給湯栓４５とふろ用パイロット式電磁弁４６とふろ用流量センサ４７とを備える。
【００３８】
給湯栓４５は、第１給湯配管３８の出側に接続される。給湯栓４５は、湯水が第１給湯配管３８から流入し得るように設けられる。給湯栓４５は、図示されないシャワー、図示されないカラン等に湯水を供給し得るように設けられる。ふろ用パイロット式電磁弁４６は、第２給湯配管３９の途中に設けられる。ふろ用パイロット式電磁弁４６は、第２給湯配管３９を開閉し得るように設けられる。ふろ用流量センサ４７は、第２給湯配管３９においてふろ用パイロット式電磁弁４６よりも出側に設けられる。ふろ用流量センサ４７は、第２給湯配管３９を通る湯水の流量を羽根車の回転により検出し得るように設けられる。
【００３９】
タンクユニット５は、制御部４８を内蔵する。
【００４０】
制御部４８は、ＨＰユニット４の各種機器と電気的に接続される。制御部４８は、タンクユニット５の各種機器と電気的に接続される。制御部４８は、これらの機器の動作を制御し得るように設けられる。
【００４１】
例えば、制御部４８は、貯湯温度センサ１９の検出結果に基づいて貯湯タンク１４の内部の湯水の温度分布を検出する。制御部４８は、貯湯タンク１４の内部の湯水の温度分布の検出結果に基づいて貯湯タンク１４の内部の残湯量を把握する。制御部４８は、貯湯タンク１４の内部の残湯量に基づいてＨＰユニット４による貯湯タンク１４の内部の湯水の沸上運転の開始および停止を制御する。
【００４２】
リモコン６は、制御部４８と相互通信し得るように設けられる。リモコン６は、外部からの操作、例えば運転動作指令や設定値の変更に対応した操作を受け付け得るように設けられる。
【００４３】
リモコン６は、図示されない操作部を備える。例えば、当該操作部は、使用者の操作を受け付けるスイッチである。リモコン６は、図示されないマイクを備える。当該マイクは、使用者の音声の入力を受け付け得るように設けられる。
【００４４】
リモコン６は、図示されない報知部を備える。当該報知部は、例えば貯湯式給湯機３の状態等の情報を表示で出力する表示部や、音で出力するスピーカである。当該報知部は、貯湯式給湯機３の状態等の情報を表示や音、音声で出力し得る。
【００４５】
図２は実施の形態１における給湯配管装置を備えた貯湯式給湯機のふろ用パイロット式電磁弁の概略正面図である。図３は実施の形態１における給湯配管装置を備えた貯湯式給湯機のふろ用パイロット式電磁弁の概略側面図である。図中の矢印は湯水の流れを示す。
【００４６】
図２と図３とにおいて、ふろ用パイロット式電磁弁４６よりも上流側は、「１次側」と定義される。ふろ用パイロット式電磁弁４６よりも下流側は、「２次側」と定義される。
【００４７】
図２と図３とにおいて、排水配管４９は、ふろ用パイロット式電磁弁４６の２次側に設けられる。
【００４８】
通常時において、ふろ用パイロット式電磁弁４６の１次側は、給水により図２と図３とにおいては図示されない貯湯タンク１４の内部圧力を受ける。このため、ふろ用パイロット式電磁弁４６において、１次側の内部圧力は、２次側の内部圧力よりも高い。
【００４９】
断水時等において、貯湯タンク１４の内部圧力は、下がる。このため、ふろ用パイロット式電磁弁４６の１次側において、負圧が生じ得る。また、図２と図３とにおいては図示されない浴槽１が貯湯タンク１４よりも高所に設置されている場合、ふろ用パイロット式電磁弁４６の２次側において、逆圧が生じ得る。その結果、浴槽１の湯水が貯湯タンク１４に逆流し得る。この場合、当該湯水は、排水配管４９から系外に排出される。
【００５０】
図４と図５とは実施の形態１における給湯配管装置を備えた貯湯式給湯機のふろ用パイロット式電磁弁の側断面図である。図４と図５とにおいて、排水配管４９は、図３のＡ−Ａ線における断面で示される。排水配管４９以外の構成は、Ｂ−Ｂ線における断面で示される。図中の矢印は湯水の流れを示す。
【００５１】
図４に示されるように、ふろ用パイロット式電磁弁４６は、ソレノイドコイル４６ａとプランジャ４６ｂとダイヤフラム４６ｃとを備える。
【００５２】
ソレノイドコイル４６ａは、電流により磁界を発生させ得るように設けられる。プランジャ４６ｂは、ソレノイドコイル４６ａの磁界変化によって移動し得るように設けられる。ダイヤフラム４６ｃは、プランジャ４６ｂが着座し得るように設けられる。
【００５３】
第２給湯配管３９は、ストレーナ３９ａと第１逆止弁３９ｂとを備える。
【００５４】
ストレーナ３９ａは、ふろ用パイロット式電磁弁４６の１次側に設けられる。ストレーナ３９ａは、通水時の異物を取り除き得るように設けられる。第１逆止弁３９ｂは、ふろ用パイロット式電磁弁４６の１次側に設けられる。第１逆止弁３９ｂは、ストレーナ３９ａよりもふろ用パイロット式電磁弁４６の側に設けられる。第１逆止弁３９ｂは、１次側から２次側に向かう湯水の流れを許容し得るように設けられる。第１逆止弁３９ｂは、１次側の水圧が大気圧よりも大きい動作圧力未満のときは第２給湯配管３９の流路を閉じ得るように設けられる。第１逆止弁３９ｂは、１次側の水圧が動作圧力以上のときは第２給湯配管３９の流路を開き得るように設けられる。
【００５５】
排水配管４９は、ふろ用パイロット式電磁弁４６の２次側に設けられる。排水配管４９は、ふろ用流量センサ４７の側から逆流した湯水を系外に排出し得るように設けられる。具体的には、排水配管４９は、大気開放弁４９ａと排水管４９ｂとを備える。
【００５６】
大気開放弁４９ａは、ふろ用パイロット式電磁弁４６の１次側の水圧により開閉し得るように設けられる。具体的には、大気開放弁４９ａは、ふろ用パイロット式電磁弁４６の１次側の水圧が第１圧力としての大気圧未満であるときに開き得るように設けられる。大気開放弁４９ａは、ふろ用パイロット式電磁弁４６の１次側の水圧が大気圧以上の圧力になると徐々に閉じ得るように設けられる。排水管４９ｂは、大気開放弁４９ａから逆流した湯水を系外に排出し得るように設けられる。
【００５７】
第２逆止弁５０は、追加逆止弁としてふろ用パイロット式電磁弁４６の２次側に設けられる。第２逆止弁５０は、ふろ用流量センサ４７よりも浴槽１の側に設けられる。第２逆止弁５０は、１次側から２次側に向かう湯水の流れを許容し得るように設けられる。第２逆止弁５０は、２次側から１次側に向かう湯水の流れを禁止し得るように設けられる。
【００５８】
図４に示されるように、正常時において、湯水は、ストレーナ３９ａと第１逆止弁３９ｂとを通過する。当該湯水は、ダイヤフラム４６ｃを押し上げる。その結果、当該湯水は、ふろ用パイロット式電磁弁４６の２次側に流れる。当該湯水は、ふろ用流量センサ４７と排水配管４９とに分流する。
【００５９】
この際、ふろ用パイロット式電磁弁４６の２次側よりも１次側が高圧になっている。このため、大気開放弁４９ａは、閉じている。その結果、当該湯水は、排水管４９ｂから排出されない。このため、当該湯水の全ては、ふろ用流量センサ４７と第２逆止弁５０とを通過する。当該湯水の全ては、図４では図示されないふろ往き配管４０とふろ戻り配管４１とを介して浴槽１に供給される。
【００６０】
図５に示されるように、ふろ用パイロット式電磁弁４６の１次側よりも２次側が高圧になっている場合、湯水は、図５においては図示されない浴槽１から図５においては図示されない貯湯タンク１４へ逆流しようとする。この場合、第２逆止弁５０は、湯水の逆流を防止する。
【００６１】
第２逆止弁５０が故障した場合、ふろ用パイロット式電磁弁４６は、湯水の逆流を防止する。この際、ふろ用パイロット式電磁弁４６の１次側よりも２次側が高圧になっている。このため、大気開放弁４９ａは開いている。その結果、逆流した湯水は、排水管４９ｂから系外に排出される。
【００６２】
貯湯式給湯機３の施工時等において貯湯タンク１４が未満水時に給水される場合、貯湯タンク１４が満水になるまでは、０〜２０ｋＰａ程度の低い水圧がふろ用パイロット式電磁弁４６の１次側に印加される。この際、ふろ用パイロット式電磁弁４６の１次側の水圧が大気圧になると、大気開放弁４９ａが閉じる。その後、ふろ用パイロット式電磁弁４６の１次側の水圧が大気圧よりも大きい圧力になると、第１逆止弁３９ｂとが開く。
【００６３】
以上で説明した実施の形態１によれば、第１逆止弁３９ｂが開くときは、常に大気開放弁４９ａが閉じている。このため、大気開放弁４９ａからの水漏れを防止することができる。
【００６４】
なお、ダイヤフラム４６ｃの開閉動作を大気開放弁４９ａの開閉動作と同等にしてもよい。この場合、第１逆止弁３９ｂが開くときは、常にダイヤフラム４６ｃが閉じている。このため、大気開放弁４９ａからの水漏れを防止することができる。
【００６５】
また、第１逆止弁３９ｂにおいて、第２給湯配管３９の上流側における内部の水の質量により生じる最大水頭圧を動作圧力としてもよい。具体的には、貯湯タンク１４の満水時にふろ用パイロット式電磁弁４６の１次側に印加する水頭圧を動作圧力とすればよい。この場合、貯湯式給湯機３の施工時など貯湯タンク１４が未満水時に給水されても、大気開放弁４９ａからの水漏れをより確実に防止することができる。
【００６６】
また、ふろ用パイロット式電磁弁４６と第１逆止弁３９ｂと大気開放弁４９ａとは、第２給湯配管３９の上流側から順々に配置されてもよい。この場合、ふろ用パイロット式電磁弁４６と第１逆止弁３９ｂとの間において、湯水は、高い圧力となった状態で留まらない。このため気温が下がったとき等に凍結して流路を塞ぐことを防止できる。
【００６７】
また、第１逆止弁３９ｂとふろ用パイロット式電磁弁４６と大気開放弁４９ａとは、第２給湯配管３９の上流側から順々に配置される。この場合、ふろ用パイロット式電磁弁４６と大気開放弁４９ａとの間の構造が単純化される。このため、これらの構造の小型化とコスト低減と図ることができる。
【００６８】
また、１次側の水圧が第１圧力よりも小さい第２圧力未満のときに、第２給湯配管３９の流路を第２逆止弁５０で閉じてもよい。１次側の水圧が第２圧力以上のときに、ふろ給湯配管の流路を第２逆止弁５０で開いてもよい。この場合、大気開放弁４９ａが閉じるときは、常に第２逆止弁５０が開いている。このため、貯湯式給湯機３の施工時等において貯湯タンク１４が未満水時に給水されている際に第１逆止弁３９ｂが開いた場合、湯水を浴槽１へ逃がすことができる。その結果、大気開放弁４９ａからの水漏れをより確実に防止することができる。
【００６９】
また、ふろ用パイロット式電磁弁４６と第１逆止弁３９ｂと大気開放弁４９ａとは、一体で設けられる。このため、これらの構造の小型化とコスト低減とより確実に図ることができる。
【００７０】
また、満水センサ２０が貯湯タンク１４の満水を検知していない場合、ふろ用パイロット式電磁弁４６のプランジャ４６ｂを開く電気信号を受信しても、ふろ用パイロット式電磁弁４６のプランジャ４６ｂを開かなくてもよい。この場合、貯湯タンク１４の未満水時の誤操作による排水管４９ｂからの水漏れを防止することができる。
【００７１】
また、ふろ用流量センサ４７が湯水の流れを検知していない場合、ふろ用パイロット式電磁弁４６のプランジャ４６ｂを開かなくてもよい。この場合、貯湯タンク１４の未満水時の誤操作による排水管４９ｂからの水漏れを防止することができる。
【符号の説明】
【００７２】
１  浴槽、  ２  浴槽アダプタ、  ３  貯湯式給湯機、  ４  ＨＰユニット、  ５  タンクユニット、  ６  リモコン、  ７  空気熱交換器、  ８  圧縮機、  ９  水冷媒熱交換器、  １０  膨張弁、  １１  冷媒配管、  １２  ＨＰ往き配管、  １３  ＨＰ戻り配管、  １４  貯湯タンク、  １５  水導入口、  １６  水導出口、  １７  温水導入口、  １８  温水導入出口、  １９  貯湯温度センサ、  ２０  満水センサ、  ２１  第１給水配管、  ２２  第２給水配管、  ２３  第３給水配管、  ２４  給湯配管、  ２５  水導出口配管、  ２６  送湯配管、  ２７  減圧弁、  ２８  三方弁、  ２９  四方弁、  ３０  給湯用混合弁、  ３１  ふろ用混合弁、  ３２  温水導入配管、  ３３  温水導出配管、  ３４  第１バイパス配管、  ３５  第２バイパス配管、  ３６  熱源ポンプ、  ３７  ふろ用熱交換器、  ３８  第１給湯配管、  ３９  第２給湯配管、  ３９ａ  ストレーナ、  ３９ｂ  第１逆止弁、  ４０  ふろ往き配管、  ４１  ふろ戻り配管、  ４２  循環ポンプ、  ４３  ふろ往き温度センサ、  ４４  ふろ戻り温度センサ、  ４５  給湯栓、  ４６  ふろ用パイロット式電磁弁、  ４６ａ  ソレノイドコイル、  ４６ｂ  プランジャ、  ４６ｃ  ダイヤフラム、  ４７  ふろ用流量センサ、  ４８  制御部、  ４９  排水配管、  ４９ａ  大気開放弁、  ４９ｂ  排水管、  ５０  第２逆止弁
【図１】
2019128133.tif 000003
【図２】
2019128133.tif 000004
【図３】
2019128133.tif 000005
【図４】
2019128133.tif 000006
【図５】
2019128133.tif 000007